(57)【特許請求の範囲】
【請求項１】
音声復調部と、同期処理部とを具備するディジタルオーディオ放送受信機において、
同期処理及び音声出力処理の状況を判定する手段と、
この判定手段の判定結果に基づいた音声処理を行う手段と、
前記音声復調部の出力側に挿入可能とされたフィルタとを具備し、
前記判定手段が、同期はとれているが音声エラーが発生したと判定したとき、前記音声処理手段は、前記フィルタを前記音声復調部の出力側に挿入することを特徴とするディジタルオーディオ放送受信機。
【請求項２】
前記音声処理手段は、音声エラーが発生する頻度を計算し、その頻度に応じて前記フィルタの時定数を変更する請求項１に記載のディジタルオーディオ放送受信機。
【請求項３】
前記音声処理手段は、前記音声エラーの頻度が所定のしきい値を超えたとき、前記音声復調部の出力を停止する請求項２に記載のディジタルオーディオ放送受信機。
【請求項４】
前記音声処理手段は、前記音声復調部の出力を停止する期間が予め設定した時間を超えたときは、ＦＩＣの再取得を行い、サブチャネルの再設定を行う請求項３に記載のディジタルオーディオ放送受信機。
【請求項５】
音声復調部と、同期処理部とを具備するディジタルオーディオ放送受信機において、
同期処理及び音声出力処理の状況を判定する手段と、
この判定手段の判定結果に基づいた音声処理を行う手段とを具備し、
前記音声処理手段は、前記判定手段が同期はとれているが音声エラーが発生していると判定した状態が、ディジタルオーディオ放送受信機の電源投入直後から継続しているとき、前記音声復調部の出力を停止することを特徴とするディジタルオーディオ放送受信機。
【請求項６】
前記音声処理手段は、前記音声復調部の出力を停止する代わりに、前記音声復調部から合成音を出力させる請求項３に記載のディジタルオーディオ放送受信機。
【請求項７】
音声復調部と、同期処理部とを具備するディジタルオーディオ放送受信機において、
同期処理及び音声出力処理の状況を判定する手段と、
この判定手段の判定結果に基づいた音声処理を行う手段とを具備し、
前記判定手段が、同期がとれていないと判定したとき、前記音声処理手段は、音声の補間処理を行い、同期がとれていない状態が所定時間以上継続した場合は、前記音声復調部の出力を停止することを特徴とするディジタルオーディオ放送受信機。
【請求項８】
音声復調部と、同期処理部とを具備するディジタルオーディオ放送受信機において、
同期処理及び音声出力処理の状況を判定する手段と、
この判定手段の判定結果に基づいた音声処理を行う手段と、
前記音声復調部の出力側に挿入可能とされたフィルタとを具備し、
前記判定手段が、同期がとれていないと判定したとき、前記音声処理手段は、前記フィルタを前記音声復調部の出力側に挿入し、同期がとれていない状態が所定時間以上継続した場合は、前記音声復調部の出力を停止することを特徴とするディジタルオーディオ放送受信機。
【発明の詳細な説明】
【０００１】
【発明の属する技術分野】
本発明は、ＤＡＢ受信機（ＤＡＢ：ディジタルオーディオ放送、Digital Audio Broadcasting）に関するものである。
【０００２】
【従来の技術】
ＤＡＢ受信機においては、受信したディジタル信号を、同期処理をしながらディジタル信号に復調をし、復調したディジタル信号をアナログの音声信号に復調する処理を行っている。このＤＡＢ受信機では、弱入力時又は電波瞬断時には、同期がとれなかったり、音声復調時に音声エラーが発生して、音声出力が不安定となることがある。
【０００３】
従来のＤＡＢ受信機においては、同期がとれないときは、受信が不可能な状況であるので、エラーのまま音声が出力されないように、音声出力を停止している。一方、同期がとれていて音声エラーが発生したときは、音声エラーが発生している間、音声出力を停止している。
【０００４】
【発明が解決しようとする課題】
図１（ａ）に、同期がとれていて音声エラーが発生したときの、従来のＤＡＢ受信機の音声出力波形を示す。図１（ｂ）に示すように音声エラーが発生すると、その瞬間、（ａ）に示すように音声復調部からの出力波形に瞬間的に欠ける部分が発生し、いわゆるボツ音が出力される。このボツ音は耳障りなものであるため、ユーザにとって音声が非常に聞き苦しいものとなる。
【０００５】
また、音声出力の状況のみから音声処理を行うと、音声出力が停止している状態が長く継続することとなり、受信機の機能が半減するという問題があった。
本発明は、ＤＡＢ受信機において、弱入力時又は電波瞬断時のような場合であっても、良好な音声出力を継続して出力できるようにすることを目的とするものである。
【０００６】
【課題を解決するための手段】
本発明は、上記課題を解決するためなされたものである。本発明は、ＤＡＢ復調部と、音声復調部と、同期処理部とを具備するＤＡＢ受信機において、同期処理及び音声出力処理の状況を判定する手段と、この判定手段の判定結果に基づいた音声処理を行う手段とを設ける。
【０００７】
音声処理手段は、同期がとれ、音声エラーが発生していないときは、正常な受信状況であるので、通常の音声出力を行う。弱入力又は電波瞬断などの原因で同期がとれない場合は、受信が不可能な状況であるので、音声エラーの有無に関係なく音声出力を停止させる。また、音声エラーが発生した場合は、同期処理が正常に行われているのであれば、音声出力を停止させずに、音声エラーが発生している間、音声処理を行って継続して音声出力をする。
【０００８】
この同期処理が正常に行われていて音声エラーが発生した場合は、音声エラーの期間は瞬間的で直ちに復旧する可能性が高いものである。したがって、本発明では、このような音声出力の瞬断に対してフィルタを音声復調部の出力側に挿入して音声出力を継続させる。これにより、ボツ音の発生を防止できるので、弱入力時又は電波瞬断時であっても、良好な音声出力が行われることとなり、ユーザに不快感を与えることがない。
【０００９】
本発明においては、上記のように、同期がとれていて音声エラーが発生した場合は、音声処理をして音声出力を継続させるが、音声エラーの発生の頻度などに基づいて受信状況を判断して、音声出力の停止を行うか、又は、停止の代わりに合成音の出力を行うこともできる。
また、同期がとれなかった場合でも、それが瞬間的なものであった場合には、音声エラーの場合に準じて音声処理を行って、音声出力を継続させる。そして、同期がとれない状況が所定時間継続したときは、音声出力を停止する。
【００１０】
このように、本発明によれば、ＤＡＢ受信機の受信状況に応じて、種々のきめ細かな対応をとることが可能となる。
【００１１】
【発明の実施の形態】
以下、本発明の実施形態について図を用いて説明する。
図２に、ＤＡＢ受信機の回路構成を示す。
図において、１はアンテナ、２はＲＦ受信部、３はＤＡＢ復調部、４は音声復調部、５は同期処理部、６は増幅器、７はスピーカ、８はコントローラであり、以上の回路構成はＤＡＢ受信機として良く知られたものである。
【００１２】
図示の例においては、音声復調部４と増幅器６の間に切換回路９が挿入される。この切換回路９は、音声復調部４の出力側を、増幅器６に接続する位置ａ１と、増幅器６から切り離す位置ａ２と、フィルタ１０を通して増幅器６に接続する位置ａ３を有する。
コントローラ８は、ＣＰＵにより構成される。本例においては、コントローラ８に、判定部１２と音声処理部１３が設けられる。
【００１３】
図３に、コントローラ８の判定部１２と音声処理部１３の基本動作を示す。
判定部１２は、ステップＳ１１において、同期処理部５の同期がとれているか否かを判定し、同期がとれている場合は、ステップＳ１２において、音声復調部４で音声エラーが発生しているか否かを判定する。
音声処理部１３は、同期がとれていない状況（ステップＳ１１のＮ）では、受信が不可能なのであるから、音声出力を停止（ミュート）する。これにより、何らかの影響で音声がエラーのまま出力されることを防止する。このミュート処理は、ステップＳ１５で、切換回路９をミュート位置ａ２に切り換えて、音声復調部の出力を切り離す。
【００１４】
また、ミュート処理を行って音声出力が停止すると、ユーザは何が原因で音声出力が停止したのか分からないため不安になる。したがって、ミュート処理に代えて、合成音を出力することにより、ユーザに良好な受信ができないないことを通報することもできる。
この合成音声出力処理は、切換回路９を通常位置ａ１にしておき、専用ＩＣ又はコントローラ８に記憶しておいた、ＭＰＥＧデータによる合成音データを音声復調器４に出力する。音声復調器４は、合成音データを音声に復調して、スピーカ７からこの合成音声を出力する。この合成音は、「電波が途切れています」「電波が弱く再生できません」といった音声出力による案内、又は、これに対応するメロディーなどを出力する。
【００１５】
また、同期がとれていて、音声エラーがない場合（ステップＳ１２のＮ）では、正常な受信が行われている状況なのであるから、ステップＳ１４で、切換回路９を通常のａ１位置にして、ＤＡＢの音声出力をスピーカ７から出力する。
さらに、同期処理がとれていて音声エラーがある場合（ステップＳ１２のＹ）は、ステップＳ１３で、切換回路９をフィルタ位置ａ３に切り換えて音声復調部４と増幅器６の間にフィルタ１０を挿入する。このフィルタ１０を挿入することにより、前述の図１の（ａ）に示したボツ音が取り除かれるので、ユーザは、耳障りな音を聞くことがなくなる。
【００１６】
なお、音声処理部１３は、フィルタ１０を挿入する処理を行う代わりに、音声補間処理を行うようにすることもできる。この場合は、切換回路９を通常の位置ａ１にして、音声復調部４において音声補間処理を行う。
本発明は、以上説明した基本動作に、図４，図５に示すような、種々の処理を加えることにより、さらにきめ細かく制御をすることができる。
【００１７】
図４，図５において、ステップＳ１１、１２は、前述の図３と同様である。同期がとれていて、音声エラーがなければ（ステップＳ１３のＮ）、正常受信が可能なのであるから、ステップＳ１４で切換回路９をａ１位置に切り換える。
同期が取れていて、音声エラーがある場合（ステップＳ１２のＹ）は、ステップＳ２１において、この音声エラーがＤＡＢ受信機の電源投入時から継続しているか否かを判定する。もしこれが電源投入時から継続しているものであれば、音声出力は全然されていないのであるから、フィルタ処理又は補間処理を行っても効果がない。したがって、この場合は、ステップＳ２２でミュート又は合成音声出力の処理を行う。この処理は、前述の図３のステップＳ１５と同様である。
【００１８】
ステップＳ２１において、音声エラーが電源投入から継続しているものでないと判定されたときは、フィルタ処理又は音声補間処理を行う。図示の例では、フィルタ処理を行い、音声エラーの頻度に応じてフィルタ１０の時定数の調整をする。また、音声エラーが頻発してその頻度が基準値を超えた場合は、フィルタ処理及び音声補間処理を停止する。
【００１９】
このため、ステップＳ２３で音声エラーが発生する頻度を計算し、ステップＳ２４でその頻度が基準値を超えたか否かを判定する。基準値を超えていない場合は、ステップＳ２５で切換回路９をフィルタ位置ａ３に切り換えて、音声復調部４の出力側にフィルタ１０を挿入し、ステップＳ２６で、フィルタ１０の時定数を頻度に応じた値とする。フィルタ１０の時定数は、図５のグラフに示すように、頻度が高くなるほど大きくされる。このようにすることにより、頻度が低い場合は音声品質を低下させることなくボツ音を軽減することができる。なお、この場合も、ステップＳ２５，２６のフィルタ処理に変えて音声補間をすることができる。
【００２０】
次に、この頻度があるしきい値を超えた場合（ステップＳ２４のＹ）は、フィルタ処理又は音声補間処理だけでは再生音質が低下するので、ミュート処理を行う。このため、ステップＳ２７で、切換回路９をミュート位置ａ２に切り換えて音声出力を停止する。更に、この場合は、ステップＳ２８において時間カウントを行い、ステップＳ２９において、時間カウントの値、即ち頻度がしきい値を超えた状態が規定時間以上継続したか否かを判定する。
【００２１】
ここで、同期がとれているにもかかわらず、音声エラーが規定時間以上継続するということは、何らかの影響でサブチャネルが正しく設定されていないことが考えられる。したがって、ステップＳ３０にてＤＡＢ情報よりＦＩＣを再取得し、サブチャネルを再設定する。これにより、音声が途切れている時間を短くすることができる。
【００２２】
一方、同期がとれていない場合には、基本動作としては、前述のように、ミュート処理をするか又は音声補間処理を行う。しかしながら、同期がとれなかった場合でも、瞬間的に同期が乱れた場合は、直ぐに正常に復活する可能性がある。このため、同期が瞬間的にとれなかったと判定したときは、フィルタ処理又は音声補間処理を行うことにより、音声の欠落時間を短くすることができる。
【００２３】
このため、同期がとれていない場合（ステップＳ１１のＮ）、ステップＳ３１でタイマ処理を行い、ステップＳ３２で瞬断の判定を行う。この瞬断の判定は、タイマの値が所定値以下であれば瞬断と判断して、ステップＳ３３でフィルタ処理を行う。この場合のフィルタ処理は、固定の時定数にて行う。また、タイマの値が所定値を超えれば瞬断でないと判断して、ステップＳ２２へ進み、本来のミュート処理又は合成音声処理を行う。
【図面の簡単な説明】
【図１】従来のＤＡＢ受信機の出力波形を示す図。
【図２】本発明を適用したＤＡＢ受信機の回路構成を示す図。
【図３】図２の回路の基本動作を示すフローチャート。
【図４】図２の回路の詳細な動作を示すフローチャート（その１）。
【図５】図２の回路の詳細な動作を示すフローチャート（その２）。
【図６】図３の動作における音声エラーの発生頻度とフィルタの時定数の関係を示す図。
【符号の説明】
１…アンテナ
２…ＲＦ受信機
３…ＤＡＢ復調部
４…音声復調部
５…同期処理部
６…増幅器
７…スピーカ
８…コントローラ
９…切換回路
１０…フィルタ
１２…判定部
１３…音声処理部
【図１】
0003736934.tif 000002
【図２】
0003736934.tif 000003
【図３】
0003736934.tif 000004
【図４】
0003736934.tif 000005
【図５】
0003736934.tif 000006
【図６】
0003736934.tif 000007